(57)【要約】【課題】浮遊容量による閉回路が生じた場合における発光素子の誤点灯を抑えつつ、負荷への給電停止時において発光素子を不点灯になりにくくした表示灯付スイッチを提供する。【解決手段】第１発光ダイオード５４は、第１切替端子５２と第２切替端子５３との間に接続される。第１抵抗器５５は、第１発光ダイオード５４に対して直列に接続され、且つ第１発光ダイオード５４に流れる電流を制限する。定電圧ダイオード５６は、第１発光ダイオード５４及び第１抵抗器５５に対して直列に接続される。表示灯付スイッチ５は、共通端子５１が第１切替端子５２と第２切替端子５３に交互に切り替えられる切替動作に応じて、第１の状態と第２の状態に交互に切り替える。第１の状態では、照明負荷６に可動電圧を印加し且つ第１発光ダイオード５４を消灯させる。第２の状態では、照明負荷６への印加電圧を可動電圧未満とし且つ第１発光ダイオード５４を点灯させる。【選択図】図１
2015195118.tif 000002
【特許請求の範囲】
【請求項１】
共通端子と、第１切替端子と、第２切替端子と、前記第１切替端子と前記第２切替端子との間に接続される発光素子と、前記発光素子に対して直列に接続され、且つ前記発光素子に流れる電流を制限する抵抗器と、前記発光素子及び前記抵抗器に対して直列に接続される定電圧ダイオードとを備え、
前記共通端子が前記第１切替端子と前記第２切替端子に交互に切り替えられる切替動作に応じて、負荷に可動電圧を印加し且つ前記発光素子を消灯させる状態と、前記負荷への印加電圧を前記可動電圧未満とし且つ前記発光素子を点灯させる状態に交互に切り替えることを特徴とする表示灯付スイッチ。
【請求項２】
前記発光素子に対して逆並列に接続される保護用ダイオードを備えていることを特徴とする請求項１記載の表示灯付スイッチ。
【請求項３】
前記発光素子に対して逆並列に接続される保護用ダイオードと、前記保護用ダイオードに対して直列に接続され、且つ前記保護用ダイオードとともに前記発光素子に対して並列に接続される第２抵抗器とを備えていることを特徴とする請求項１記載の表示灯付スイッチ。
【請求項４】
前記定電圧ダイオードは、双方向定電圧ダイオードであることを特徴とする請求項２又は３記載の表示灯付スイッチ。
【請求項５】
前記保護用ダイオードは、第２発光素子であることを特徴とする請求項２〜４の何れか１項に記載の表示灯付スイッチ。
【請求項６】
前記定電圧ダイオードは、降伏電圧の電圧値が電源電圧の最大値の半分以上であることを特徴とする請求項１〜５の何れか１項に記載の表示灯付スイッチ。
【請求項７】
前記抵抗器は、複数の分割抵抗器からなり、前記複数の分割抵抗器の各々は、前記第１切替端子と前記第２切替端子との間において互いに直列に接続されることを特徴とする請求項１〜６の何れか１項に記載の表示灯付スイッチ。
【発明の詳細な説明】
【技術分野】
【０００１】
本発明は、表示灯付スイッチに関し、より詳細には、発光素子を表示灯とした表示灯付スイッチに関する。
【背景技術】
【０００２】
従来、後面側を壁面に埋め込んだ状態で施工されるスイッチ装置が提供されている（例えば特許文献１参照）。特許文献１に記載されたスイッチ装置は、共通端子、第１切替端子及び第２切替端子を有する所謂３路スイッチと、３路スイッチの第１切替端子と第２切替端子との間に接続される抵抗器及びネオンランプの直列回路とを備える。
【０００３】
このような３路スイッチを用いたスイッチ装置は、例えば２つのスイッチ装置で照明負荷をＯＮ／ＯＦＦできるようにシステムが構築され、各スイッチ装置の第１切替端子同士及び第２切替端子同士がそれぞれ電線を介して接続される。また、各スイッチ装置の共通端子間には、商用電源及び照明負荷の直列回路が電線を介して接続される。
【０００４】
上述のシステムにおいて、照明負荷が消灯している状態では、一方のスイッチ装置の共通端子が第１切替端子に接続され、且つ他方のスイッチ装置の共通端子が第２切替端子に接続されている。そして、商用電源から供給される電力によって両スイッチ装置のネオンランプが点灯している。
【０００５】
また、この状態から、一方のスイッチ装置の共通端子が第２切替端子に切り替えられると、商用電源から照明負荷に電力が供給され、照明負荷が点灯する。このとき、ネオンランプには電流が流れなくなり、両ネオンランプが消灯する。
【０００６】
上述のように、照明負荷が消灯している状態では両ネオンランプが点灯しており、使用者は、これらのネオンランプの発光によってスイッチ装置の位置を知ることができる。
【先行技術文献】
【特許文献】
【０００７】
【特許文献１】特開２００８−１７１７３０号公報
【発明の概要】
【発明が解決しようとする課題】
【０００８】
上述の特許文献１に示したスイッチ装置では、スイッチ装置の位置を表示する表示灯としてネオンランプを使用しているが、ネオンランプの代わりに発光ダイオード（ＬＥＤ）を使用したスイッチ装置も提供されている。
【０００９】
ところで、発光ダイオードは、ネオンランプよりもしきい値電圧が低く、例えば各電線とグランドとの間又は電線間に浮遊容量が生じ、この浮遊容量による閉回路が形成された場合には、ネオンランプに比べて誤発光する可能性が高かった。
【００１０】
また、ネオンランプは、図７Ａに示すような電圧特性を有している。図７Ａによれば、ネオンランプの両端電圧Ｖ１が点灯開始電圧Ｖ１１に達するとネオンランプは点灯し、その後、上記両端電圧Ｖ１は点灯維持電圧Ｖ１２（Ｖ１２＜Ｖ１１）まで低下する（図７Ａ中の実線ａ１参照）。
【００１１】
図８は２つのスイッチ装置により構成されたシステムを表す概略回路図である。このシステムでは、ネオンランプ７１Ａ及び抵抗７２の直列回路と、ネオンランプ７１Ｂ及び抵抗７２の直列回路とが並列に接続され、並列に接続された両直列回路の両端間には、照明負荷６及び商用電源７の直列回路が接続されている。なお、図８では、３路スイッチの図示を省略している。
【００１２】
ところで、ネオンランプの電圧特性には個体差があり、例えば点灯開始電圧Ｖ１１のネオンランプを一方のスイッチ装置に使用し、点灯開始電圧Ｖ１３（Ｖ１３＞Ｖ１１）のネオンランプを他方のスイッチ装置に使用したとする。この場合、点灯開始電圧Ｖ１１のネオンランプは、上記両端電圧Ｖ１が点灯開始電圧Ｖ１１に達すると点灯し、その後、上記両端電圧Ｖ１は点灯維持電圧Ｖ１２まで低下する。
【００１３】
さらに、上記両端電圧Ｖ１は、点灯維持電圧Ｖ１２まで低下した後、再度上昇し始め、ネオンランプ７１Ｂの点灯開始電圧Ｖ１３に達すると、ネオンランプ７１Ｂも点灯する。その後、上記両端電圧Ｖ１は点灯維持電圧Ｖ１４まで低下し、これ以降は上記両端電圧Ｖ１は徐々に上昇する（図７Ｂ中の実線ａ２）。
【００１４】
ところで、照明負荷６のインピーダンスが高い場合には、照明負荷６の消灯時における上記両端電圧Ｖ１が低下するため、ネオンランプＶ７１Ｂが不点灯になる可能性があった。
【００１５】
本発明は上記問題点に鑑みて為されており、浮遊容量による閉回路が生じた場合における発光素子の誤点灯を抑えつつ、負荷への給電停止時において発光素子を不点灯になりにくくした表示灯付スイッチを提供することを目的とする。
【課題を解決するための手段】
【００１６】
本発明の表示灯付スイッチは、共通端子と、第１切替端子と、第２切替端子と、前記第１切替端子と前記第２切替端子との間に接続される発光素子と、前記発光素子に対して直列に接続され、且つ前記発光素子に流れる電流を制限する抵抗器と、前記発光素子及び前記抵抗器に対して直列に接続される定電圧ダイオードとを備え、前記共通端子が前記第１切替端子と前記第２切替端子に交互に切り替えられる切替動作に応じて、負荷に可動電圧を印加し且つ前記発光素子を消灯させる状態と、前記負荷への印加電圧を前記可動電圧未満とし且つ前記発光素子を点灯させる状態に交互に切り替えることを特徴とする。ここに、可動電圧とは、接続された負荷が動作するのに必要な電圧のことをいう。
【発明の効果】
【００１７】
スイッチの位置を表示する表示灯として発光ダイオードを使用した場合には、発光ダイオードのしきい値電圧がネオンランプに比べて低いことから、各電線とグランドとの間又は電線間に生じる浮遊容量によって誤点灯する可能性がある。しかしながら、本発明のように、発光素子に対して定電圧ダイオードを直列に接続することで、上記浮遊容量によって発光素子が誤点灯するのを抑えることができる。また、表示灯として発光素子を使用することで、負荷のインピーダンスが高い場合でも、ネオンランプに比べて不点灯になりにくい。
【図面の簡単な説明】
【００１８】
【図１】本実施形態の表示灯付スイッチを用いた照明システムの概略回路図である。
【図２】本実施形態の表示灯付スイッチを用いたスイッチ装置の分解斜視図である。
【図３】図３Ａ及び図３Ｂは本実施形態の表示灯付スイッチの動作を説明するためのグラフである。
【図４】本実施形態の別の表示灯付スイッチを用いた照明システムの概略回路図である。
【図５】本実施形態のさらに別の表示灯付スイッチを用いた照明システムの概略回路図である。
【図６】本実施形態のまたさらに別の表示灯付スイッチを用いた照明システムの概略回路図である。
【図７】図７Ａ及び図７Ｂは従来のスイッチ装置の動作を説明するためのグラフである。
【図８】従来のスイッチ装置を用いたシステムの概略回路図である。
【発明を実施するための形態】
【００１９】
以下に、本発明に係る表示灯付スイッチの実施形態について、図面を参照しながら具体的に説明する。なお、以下の説明では特に断りがない限り、図２において上下、前後、左右の各方向を規定する。つまり、プレート４の長手方向が上下方向、プレート４の幅方向が左右方向となる。
【００２０】
図２は表示灯付スイッチを用いたスイッチ装置の分解斜視図である。このスイッチ装置は、器具用取付枠（以下、取付枠という）１と、ピアノハンドル式のスイッチ１０と、プレート４とを備える。
【００２１】
スイッチ１０は、図２に示すように、スイッチ本体１００と、操作ハンドル１１０とで構成される。
【００２２】
スイッチ本体１００は、左右方向に長い矩形箱状に形成されており、スイッチ本体１００の前面には、前後方向に移動自在に設けられた押釦１０１が取り付けられている。この押釦１０１が押し込まれる度に、スイッチ本体１００の内部に収納された表示灯付スイッチ５（図１参照）の状態が切り替えられるように切替機構（図示せず）が構成されている。なお、表示灯付スイッチ５については後述する。
【００２３】
スイッチ本体１００の前面の左側には、上下方向における中央部に、透光性を有するランプカバー１０２が取り付けられている。スイッチ本体１００の内部には、表示灯付スイッチ５を構成する第１発光ダイオード５４（図１参照）が収納されており、第１発光ダイオード５４から放射される光はランプカバー１０２を透過して前方に照射される。ここに、本実施形態では、第１発光ダイオード５４により発光素子（第１発光素子）が構成されている。
【００２４】
スイッチ本体１００の左側面及び右側面には、スイッチ本体１００を取付枠１に取り付けるための取付爪１０３が２個ずつ設けられている。スイッチ本体１００の右側面において、２個の取付爪１０３が設けられた部位の周りにはスリットが形成されており、２個の取付爪１０３が設けられた部位（この部位を可動片１０４という）は、その前端側でスイッチ本体１００に片持ち支持されている。
【００２５】
したがって、可動片１０４の後部に設けられた突起１０５を内向きに押し込むことによって、可動片１０４に設けられた２個の取付爪１０３をスイッチ本体１００の内側に引っ込めることができる。
【００２６】
スイッチ本体１００の前面の左側には、操作ハンドル１１０を支持するための円柱状の２個の軸１０６が、ランプカバー１０２を挟んで上下両側にそれぞれ設けられている。
【００２７】
スイッチ本体１００の後部には、電線（図示せず）を挿入するための電線挿入孔（図示せず）が左右に２個ずつ設けられている。スイッチ本体１００の内部には、後述の共通端子５１、第１切替端子５２及び第２切替端子５３にそれぞれ電気的に接続された速結構造の接続端子が収納されており、この接続端子に電線挿入孔から挿入された電線の芯線が接続される。
【００２８】
操作ハンドル１１０は、図２に示すように、押釦１０１の前面よりも十分に大きい寸法を有する矩形板状に形成されている。操作ハンドル１１０の前面の右側には、上下方向における中央部に、操作ハンドル１１０を前後方向に貫通する長円形状の孔が設けられ、この孔に透光板１１１が埋め込まれている。
【００２９】
操作ハンドル１１０の裏面には、スイッチ本体１００のランプカバー１０２から照射された光を透光板１１１に導くプリズム（図示せず）が取り付けられている。而して、スイッチ本体１００に収納された第１発光ダイオード５４の光で透光板１１１が光るから、この光でスイッチ１０の位置表示を行うことができる。
【００３０】
また、操作ハンドル１１０の裏面（後面）には、スイッチ本体１００の軸１０６と対向する部位に、軸１０６が回転自在な状態で取り付けられる軸受け部（図示せず）が設けられている。操作ハンドル１１０は、軸受け部に軸１０６を保持させることによって、スイッチ本体１００の前面において、左右方向の一端側（左側）で回転自在に支持されている。
【００３１】
而して、操作ハンドル１１０の右側を後方に押し込むと、操作ハンドル１１０は軸１０６によって支持される部位を支点にして回転し、操作ハンドル１１０の背面に設けられた突起（図示せず）で押釦１０１が押し込まれるように構成されている。
【００３２】
取付枠１は、合成樹脂又は金属板により、スイッチ本体１００が取り付けられる窓孔１８を有した矩形枠状に形成される。この取付枠１は、長手方向（図２中の上下方向）において窓孔１８を挟んで対向する一対の横梁部１１と、一対の横梁部１１が対向する方向と交差する方向（左右方向）において、窓孔１８を挟んで対向する一対の縦梁部１２とを備える。つまり、一対の横梁部１１と、一対の縦梁部１２とで囲まれた空間が窓孔１８となっている。
【００３３】
一対の横梁部１１の各々には、横梁部１１の裏面側を図示しない造営材（例えば壁材）の表面に当てた状態で、横梁部１１を造営材に固定するためのネジ（図示せず）を挿入する挿入孔１３が設けられている。また、一対の横梁部１１の各々には、挿入孔１３よりも外側（図２中の上側又は下側）であって、左右方向における中央部にネジ孔１４が設けられている。
【００３４】
一対の縦梁部１２の各々には、スイッチ本体１００の取付爪１０３がそれぞれ挿入される複数個（例えば８個）の貫通孔１５が設けられている。つまり、スイッチ本体１００の両側に２個ずつ設けられた取付爪１０３がそれぞれ対応する貫通孔１５に挿入されることで、スイッチ本体１００の前端部が窓孔１８から前側に突出した状態でスイッチ本体１００が取付枠１に取り付けられる。
【００３５】
この取付枠１は、造営材に設けられた埋込用の孔（図示せず）の周縁部に横梁部１１の背面（裏面）を当てた状態で、造営材に埋め込まれたスイッチボックス（図示せず）に取り付けられることによって、造営材に対して固定される。つまり、上側および下側の横梁部１１の挿入孔１３にそれぞれ通された２本のボルト（図示せず）が、スイッチボックスのねじ孔にねじ止めされる。但し、スイッチボックスが埋め込まれていない場合、取付枠１は、従来周知の挟み金具（図示せず）を用いて造営材に固定される。
【００３６】
プレート４は、図２に示すように、取付枠１に取り付けられるプレートボディ２と、プレートボディ２を覆うようにプレートボディ２に着脱可能に取り付けられるプレートカバー３とを備える。
【００３７】
プレートボディ２は、図２に示すように、合成樹脂材料により一対の横片２１と一対の縦片２２とを有する矩形枠状に形成されている。ここで、一対の横片２１と一対の縦片２２とで囲まれた窓孔２０は、プレートボディ２が取付枠１に取り付けられた状態で、取付枠１の窓孔１８と前後方向において重なる位置に設けられている。
【００３８】
一対の横片２１の各々には、左右方向における中央部に、ネジを挿入するための挿入孔２３が設けられている。また、一対の縦片２２の各々には、長手方向（上下方向）における中央部と両側部とに、それぞれ矩形の貫通孔２４が形成されている。また、一方（図２中の下側）の横片２１には、下端部の左右両側に、前方及び下方に開放された凹部２５がそれぞれ設けられている。
【００３９】
プレートカバー３は、図２に示すように、前壁３０と側壁３１とが合成樹脂成形体として一体に構成されている。前壁３０は、前後方向から見て四隅が湾曲した長方形状であり、周縁から中央に向かって前方へ膨らむ曲面形状に形成されている。また、前壁３０の中央には、矩形の窓３２が貫通している。さらに、前壁３０の背面には、プレートボディ２に設けられた複数の貫通孔２４の各々に対応する部位に、貫通孔２４内に挿入されて前壁３０の周縁部に引っ掛かる引掛部（図示せず）が設けられている。
【００４０】
側壁３１は、前端が前壁３０の周縁に連結された環状に形成されている。この側壁３１は、前方に向かって外側に傾斜するように構成される。また、側壁３１には、プレートボディ２の凹部２５と対向する位置に凸部（図示せず）が設けられている。
【００４１】
次に、本発明に係る表示灯付スイッチ５について説明する。
【００４２】
図１は表示灯付スイッチ５を用いた照明システムの概略回路図であり、この照明システムは、２つの表示灯付スイッチ５と照明負荷６（負荷）とで構成される。
【００４３】
表示灯付スイッチ５は、共通端子５１と、第１切替端子５２と、第２切替端子５３と、第１発光ダイオード５４と、第１抵抗器５５と、定電圧ダイオード５６と、保護用ダイオード５７とを備える。なお、本実施形態では、定電圧ダイオード５６として双方向定電圧ダイオードを用いているが、少なくとも一方向（第１発光ダイオード５４の順方向）において動作可能であればよく、双方向でなくてもよい。
【００４４】
各表示灯付スイッチ５の共通端子５１間には、照明負荷６及び商用電源７の直列回路が電線６３を介して接続されている。また、各第１切替端子５２同士は電線６１により互いに接続され、各第２切替端子５３同士は電線６２により互いに接続されている。この表示灯付スイッチ５では、上述のスイッチ１０の押釦１０１が押し込まれる度に、共通端子５１が第１切替端子５２と第２切替端子５３に交互に切り替えられる。
【００４５】
各表示灯付スイッチ５において第１切替端子５２と第２切替端子５３との間には、第１抵抗器５５、第１発光ダイオード５４及び定電圧ダイオード５６の直列回路が接続されている。また、第１発光ダイオード５４の両端間には、第１発光ダイオード５４に対して逆並列となるように保護用ダイオード５７が接続されている。
【００４６】
ここに、本実施形態では、アノードが第１切替端子５２側、カソードが第２切替端子５３側となる向きで第１発光ダイオード５４が接続され、アノードが第２切替端子５３側、カソードが第１切替端子５２側となる向きで保護用ダイオード５７が接続されている。
【００４７】
この照明システムにおいて、両表示灯付スイッチ５の共通端子５１がともに第１切替端子５２又は第２切替端子５３に接続されている状態では、商用電源７より出力される交流電力は照明負荷６に供給され、照明負荷６が点灯する。このとき、第１切替端子５２間及び第２切替端子５３間の電位差が略ゼロであることから、第１発光ダイオード５４に電流が流れず、何れの第１発光ダイオード５４も点灯しない。つまり、照明負荷６が点灯している状態では、第１発光ダイオード５４は点灯しないのである。
【００４８】
ここに、本実施形態では、照明負荷６の点灯時における照明負荷６への印加電圧が可動電圧である。
【００４９】
この状態（例えば図１に示す状態）から、一方（例えば図１中の左側）の表示灯付スイッチ５の共通端子５１が第２切替端子５３に切り替えられると、照明負荷６が消灯し、各表示灯付スイッチ５の第１発光ダイオード５４に対して交流電力が供給される。
【００５０】
このとき、各第１発光ダイオード５４は、第１発光ダイオード５４に印加される電圧が順方向となる半周期毎に流れる電流によって点灯する。またこのとき、照明負荷６にも交流電力が供給されるが、第１抵抗器５５によって電流値が制限されており、そのため照明負荷６は点灯しない。つまり、このとき、照明負荷６への印加電圧は可動電圧未満となっている。
【００５１】
ところで、本実施形態の表示灯付スイッチ５のように、第１発光ダイオード５４を表示灯とした場合、第１発光ダイオード５４のしきい値電圧がネオンランプに比べて低いことから、各電線とグランドとの間又は電線間に生じる浮遊容量によって第１発光ダイオード５４が誤点灯する可能性がある。
【００５２】
この問題を解決するために、本実施形態では、第１発光ダイオード５４に対して直列に定電圧ダイオード５６を接続している。この場合、各電線とグランドとの間又は電線間に浮遊容量が生じたとしても、第１発光ダイオード５４への印加電圧が定電圧ダイオード５６でクランプされるため、第１発光ダイオード５４に電流が流れず、第１発光ダイオード５４は点灯しない。すなわち、第１発光ダイオード５４が誤点灯するのを抑えることができる。
【００５３】
また、第１発光ダイオード５４は、ネオンランプに比べて印加電圧に対して通電電流が単調に増加する電気特性を有するため、接続される照明負荷６のインピーダンスが高い場合でも、ネオンランプに比べて不点灯になりにくいという利点もある。
【００５４】
なお、上述の浮遊容量は、電線とグランドとの間に生じると同時に電線間に生じる場合が多く、そのため第１発光ダイオード５４の誤点灯を抑えるためには、定電圧ダイオード５６の降伏電圧を商用電源７の電源電圧の最大値の半分以上にするのが望ましい。
【００５５】
また、一方の表示灯付スイッチ５に点灯開始電圧Ｖ２１の第１発光ダイオード５４が接続され、他方の表示灯付スイッチ５に点灯開始電圧Ｖ２２（Ｖ２２＞Ｖ２１）の第１発光ダイオード５４が接続されているとする。なお以下の説明では、点灯開始電圧Ｖ２１の第１発光ダイオード５４を第１発光ダイオード５４Ａ、点灯開始電圧Ｖ２２の第１発光ダイオード５４を第１発光ダイオード５４Ｂと区別する。
【００５６】
従来のスイッチ装置のように、表示灯としてネオンランプ７１Ａ，７１Ｂを使用した場合、照明負荷６のインピーダンスが高いと、照明負荷６が消灯しているにもかかわらずネオンランプ７１Ａ，７１Ｂへの印加電圧が低下する。その結果、点灯開始電圧が相対的に高いネオンランプ７１Ｂが不点灯となる可能性が高かった。
【００５７】
これに対して、本実施形態では、表示灯として第１発光ダイオード５４Ａ，５４Ｂを使用している。これらの第１発光ダイオード５４Ａ，５４Ｂの電気特性は印加電圧に対して通電電流が単調に増加するため、しきい値電圧の低い第１発光ダイオード５４Ａが点灯を開始しても、しきい値電圧の高い第１発光ダイオード５４Ｂへ印加される電圧が低下せず、照明負荷６のインピーダンスが高い場合であってもネオンランプ７１Ａ，７１Ｂに比べて不点灯になりにくい。
【００５８】
その結果、第１発光ダイオード５４Ａ，５４Ｂへの印加電圧Ｖ２が点灯開始電圧Ｖ２１に達すると、第１発光ダイオード５４Ａが点灯する（図３Ａ中の実線ａ３参照）。その後、第１発光ダイオード５４Ａ，５４Ｂへの印加電圧Ｖ２がさらに上昇し、点灯開始電圧Ｖ２２に達すると、第１発光ダイオード５４Ｂが点灯する（図３Ｂ中の実線ａ４参照）。なお、本実施形態のように、定電圧ダイオード５６として双方向定電圧ダイオードを用いた場合には、耐圧の低い保護用ダイオード５７を用いることができる。
【００５９】
図４は本実施形態の別の表示灯付スイッチ５を用いた照明システムの概略回路図である。この表示灯付スイッチ５では、第１発光ダイオード５４に対して保護用ダイオード５７を逆並列に接続し、且つ保護用ダイオード５７に対して第２抵抗器５８を直列に接続している。なお、それ以外の構成については、図１で説明した表示灯付スイッチ５と同様であり、ここでは説明を省略する。
【００６０】
このように、保護用ダイオード５７に対して直列に第２抵抗器５８を接続することで、第１発光ダイオード５４の点灯に寄与しない逆方向の電流を制限し、漏れ電流を低減させることができる。
【００６１】
図５は本実施形態のさらに別の表示灯付スイッチ５を用いた照明システムの概略回路図である。この表示灯付スイッチ５では、保護用ダイオードとして第２発光ダイオード５９（第２発光素子）を用いている。なお、それ以外の構成については、図１で説明した表示灯付スイッチ５と同様であり、ここでは説明を省略する。
【００６２】
このように、第１発光ダイオード５４に逆電圧が印加されるのを抑えるための保護用ダイオードとして第２発光ダイオード５９を用いることで、第１発光ダイオード５４を保護しながら表示灯としての輝度を高めることができる。
【００６３】
図６は本実施形態のまたさらに別の表示灯付スイッチ５を用いた照明システムの概略回路図である。この表示灯付スイッチ５では、第１抵抗器５５を複数の分割抵抗器５５Ａ，５５Ｂで構成している。なお、それ以外の構成については、図１で説明した表示灯付スイッチ５と同様であり、ここでは説明を省略する。
【００６４】
そして、一方の分割抵抗器５５Ａを第１切替端子５２と第１発光ダイオード５４のアノードとの間に接続し、他方の分割抵抗器５５Ｂを第２切替端子５３と定電圧ダイオード５６との間に接続している。このように、第１抵抗器５５を複数の分割抵抗器５５Ａ，５５Ｂに分割することで、各分割抵抗器５５Ａ，５５Ｂに印加される電圧を低下させることができ、これにより表示灯付スイッチ５全体としての耐電圧を高めることができる。
【００６５】
なお、本実施形態では、２つの表示灯付スイッチ５と照明負荷６とで照明システムを構成したが、例えば１つの表示灯付スイッチ５と照明負荷６とで照明システムを構成してもよい。また、本実施形態では、第１抵抗器５５を２つの分割抵抗器５５Ａ，５５Ｂに分割したが、３つ以上の分割抵抗器に分割してもよく、本実施形態に限定されない。
【００６６】
さらに、本実施形態では、表示灯付スイッチ５により制御される負荷として照明負荷６を例に説明したが、照明負荷６に限定されるものではなく、表示灯付スイッチ５によってオン／オフされるものであれば他のものでもよい。また、本実施形態では、発光素子及び第２発光素子が発光ダイオード（ＬＥＤ）の場合を例に説明したが、この例に限らず、発光素子及び第２発光素子はＥＬ素子であってもよい。
【００６７】
本実施形態の表示灯付スイッチ５は、共通端子５１と、第１切替端子５２と、第２切替端子５３と、第１発光ダイオード５４（発光素子）と、第１抵抗器５５（抵抗器）と、定電圧ダイオード５６とを備える。第１発光ダイオード５４は、第１切替端子５２と第２切替端子５３との間に接続される。第１抵抗器５５は、第１発光ダイオード５４に対して直列に接続され、且つ第１発光ダイオード５４に流れる電流を制限する。定電圧ダイオード５６は、第１発光ダイオード５４及び第１抵抗器５５に対して直列に接続される。表示灯付スイッチ５は、共通端子５１が第１切替端子５２と第２切替端子５３に交互に切り替えられる切替動作に応じて、第１の状態と第２の状態に交互に切り替える。第１の状態では、照明負荷６（負荷）に可動電圧を印加し且つ第１発光ダイオード５４を消灯させる。第２の状態では、照明負荷６への印加電圧を可動電圧未満とし且つ第１発光ダイオード５４を点灯させる。
【００６８】
また、本実施形態の表示灯付スイッチ５のように、第１発光ダイオード５４に対して逆並列に接続される保護用ダイオード５７を備えているのが好ましい。
【００６９】
また、本実施形態の表示灯付スイッチ５のように、保護用ダイオード５７と、第２抵抗器５８とを備えているのが好ましい。この場合、保護用ダイオード５７は、第１発光ダイオード５４に対して逆並列に接続され、第２抵抗器５８は、保護用ダイオード５７に対して直列に接続され、且つ保護用ダイオード５７とともに第１発光ダイオード５４に対して並列に接続される。
【００７０】
また、本実施形態の表示灯付スイッチ５のように、定電圧ダイオード５６は、双方向定電圧ダイオードであるのが好ましい。
【００７１】
また、本実施形態の表示灯付スイッチ５のように、保護用ダイオードは、第２発光ダイオード５９（第２発光素子）であるのが好ましい。
【００７２】
また、本実施形態の表示灯付スイッチ５のように、定電圧ダイオード５６は、降伏電圧の電圧値が商用電源７の電源電圧の最大値の半分以上であるのが好ましい。
【００７３】
また、本実施形態の表示灯付スイッチ５のように、第１抵抗器５５は、複数の分割抵抗器５５Ａ，５５Ｂからなるのが好ましい。この場合、複数の分割抵抗器５５Ａ，５５Ｂの各々は、第１切替端子５２と第２切替端子５３との間において互いに直列に接続される。
【符号の説明】
【００７４】
５  表示灯付スイッチ
６  照明負荷（負荷）
５１  共通端子
５２  第１切替端子
５３  第２切替端子
５４  第１発光ダイオード（発光素子）
５５  第１抵抗器（抵抗器）
５６  定電圧ダイオード
【図１】
2015195118.tif 000003
【図２】
2015195118.tif 000004
【図３】
2015195118.tif 000005
【図４】
2015195118.tif 000006
【図５】
2015195118.tif 000007
【図６】
2015195118.tif 000008
【図７】
2015195118.tif 000009
【図８】
2015195118.tif 000010